(57)【特許請求の範囲】
【請求項１】
各々が導電体細線部を含んだ複数の検知電極を備えるタッチパネル用電極基板であって、
前記複数の検知電極を構成する複数の導電体細線部の各々は、折れ線状または波線状のパターンで第１の方向に延び、且つ、複数の導電体細線部が、前記第１の方向と交差する第２の方向に、互いから離間して配列され、
前記第２の方向に隣り合う少なくとも二つの導電体細線部の前記第２の方向に沿った配置間隔が、前記第１の方向に沿って一定ではなく、
前記複数の導電体細線部は、同一のパターンを有する複数の第１の表面導電体細線部と、同一のパターンを有する複数の第２の表面導電体細線部と、を有し、前記第１の表面導電体細線部と前記第２の表面導電体細線部とは互いに異なるパターンを有し、前記第１の表面導電体細線部及び前記第２の表面導電体細線部は、前記第２の方向に沿って交互に配置される、タッチパネル用電極基板。
【請求項２】
各検知電極をなす二以上の導電体細線部が、前記第１の方向における端部において互いに接続されている、請求項１に記載のタッチパネル用電極基板。
【請求項３】
各検知電極をなす二以上の導電体細線部が、前記第１の方向における両端部の各々において互いに接続されている、請求項１に記載のタッチパネル用電極基板。
【請求項４】
一つの導電体細線部の前記第２の方向における一側へ突出した部分での頂部は、前記第１の方向において、当該一つの導電体細線部に前記第２の方向の一側から隣り合う他の導電体細線部の前記第２の方向における一側へ突出した部分が位置する領域に位置し、
当該一つの導電体細線部の前記第２の方向における他側へ突出した部分での頂部は、前記第１の方向において、当該一つの導電体細線部に前記第２の方向の他側から隣り合う他の導電体細線部の前記第２の方向における他側へ突出した部分が位置する領域に位置する、請求項１〜３のいずれか一項に記載のタッチパネル用電極基板。
【請求項５】
電極基板の法線方向に沿って前記複数の検知電極からずれた位置に配置された複数の第２検知電極を、さらに備え、
前記複数の検知電極を構成する複数の第２検知電極の各々は、折れ線状または波線状のパターンで前記第１の方向と交差する第３の方向に延びる第２導電体細線部を含み、
複数の第２導電体細線部が、前記第３の方向及び前記第２の方向の両方と交差する第４の方向に、互いから離間して配置され、
次の条件（ｃ）及び（ｄ）の少なくともいずれか一方が満たされる、請求項１〜４のいずれか一項に記載のタッチパネル用電極基板。
（ｃ）前記第４の方向に隣り合う少なくとも二つの第２導電体細線部の前記第４の方向に沿った配置間隔が、前記第３の方向に沿って一定ではない。
（ｄ）少なくとも一つの第２導電体細線部について、前記第４の方向における一側に突出した部分の頂部の前記第３の方向へのピッチが一定ではない。
【請求項６】
前記第３の方向は、前記第２の方向と平行であり、前記第４の方向は、前記第１の方向と平行である、請求項５に記載のタッチパネル用電極基板。
【請求項７】
前記複数の第２導電体細線部のパターンは、前記複数の導電体細線部のパターンと回転対称である、請求項５又は６に記載のタッチパネル用電極基板。
【請求項８】
請求項１〜７のいずれか一項に記載されたタッチパネル用電極基板を備えるタッチパネル。
【請求項９】
請求項１〜８のいずれか一項に記載されたタッチパネル用電極基板と、
前記タッチパネル用電極基板と重ねて配置された画像表示機構と、を備える、表示装置。
【発明の詳細な説明】
【技術分野】
【０００１】
本願発明は、タッチパネル用電極基板と、これを用いたタッチパネル、並びに該タッチパネルを用いた表示装置に関する。特に、大画面化に際しても十分な電気抵抗と十分な透視性が両立可能なタッチパネル用電極基板とタッチパネル、並びに、該タッチパネルを用いた表示装置に関する発明である。
【背景技術】
【０００２】
近年、画像装置と位置入力装置を組み合わせたタッチパネル（タッチスクリーンやタッチ画面などとも呼ばれる）の使用が盛んになってきている。位置入力装置としては、マトリクス・スイッチ方式、電気抵抗膜方式、表面弾性波方式、赤外線方式、電磁誘導方式、静電容量方式等、各種方式のものが実用化されている。中でも静電容量方式の一つである投影型静電容量方式の位置入力装置を組み合わせたタッチパネルが、マルチタッチ（多点同時入力）が可能であり、指先で直感的な操作ができる点、耐久性に優れる点が評価され携帯電話や携帯端末などに急速に普及してきている。
【０００３】
投影型静電容量方式のタッチパネルでは、縦横にそれぞれ走向する２層からなる複数の検知電極パターンが、ガラスやプラスチックなどの透明絶縁基板上に配置されるタッチパネル用電極基板が必要とされる。タッチパネル用電極基板は、画像表示機構と観察者の間に設置されることとなるため、透視性が要求される。
【０００４】
特許文献１には、透視性を有する検知電極として、ＩＴＯ（Ｉｎｄｉｕｍ Ｔｉｎ Ｏｘｉｄｅ）やＩＺＯ（Ｉｎｄｉｕｍ Ｚｉｎｃ Ｏｘｉｄｅ）などの透明導電膜を利用したタッチパネル用電極基板が記載されている。しかし、ＩＴＯ薄膜からなる透明導電膜は、インジウムというレアメタル（希土類元素）が使用される為に高価である点、及び、電気抵抗（表面電気抵抗率）がタッチパネルの大面積化を図るには高電気抵抗である為、電気抵抗を適正範囲迄下げるべく厚膜化すると透明性が低下し、透明性と適正電気抵抗との両立が困難な点で、低コスト化及び大画面化への要求に対応し難い。
【０００５】
そこで、ＩＴＯ薄膜等の透明導電膜に代えて、図１０（ａ）の斜視図、及び、図１０（ｂ）の表面電極の拡大平面図で示すタッチパネル用電極基板のように、透明絶縁基板１３の両面に、銅等の低電気抵抗の導電体細線パターンからなるメッシュ状に形成したメッシュ状検知電極１２を形成したものが提案されている（例えば、特許文献２）。メッシュ状の検知電極１２は、低電気抵抗の金属からなる導電体細線部１４からなる。透明絶縁基板１３の一方の面（図１０（ａ）では上側の面）上に、Ｘ軸方向（以下、Ｘ方向とも言う）に延在する複数の長方形（ストライプ）形状をなす表面メッシュ状検知電極１２ｓが形成され、透明絶縁基板１３の他方の面（図１０（ａ）では下側の面）上に、Ｙ軸方向（以下Ｙ方向とも言う）に延在する複数の長方形形状をなす裏面メッシュ状検知電極１２ｒが形成されている。なお、図からも明らかであるが、長方形形状のメッシュ状検知電極１２は、該長方形の面内がメッシュ状の導電体細線パターン１４に区画されている。言葉を換えれば、メッシュ状導電体細線パターン１４の外輪郭が長方形に切抜かれてメッシュ状検知電極１２が構成されている。メッシュ状検知電極１２（１２ｓ及び１２ｒ）によれば、ＩＴＯ薄膜に比べて低コストかつ低電気抵抗にできる。表裏各メッシュ電極１２ｓ及び１２ｒとは互いに延在方向が直交すると共に、長方形の検知電極１２ｓ及び１２ｒの内部が図１０（ｂ）の如く平面視形状がメッシュ（網目）状となっている為、其の開口部から光が透過する。
【先行技術文献】
【特許文献】
【０００６】
【特許文献１】特開２００８−３１０５５１号公報
【特許文献２】特開２０１１−１３４３１１号公報
【発明の概要】
【発明が解決しようとする課題】
【０００７】
しかしながら、低電気抵抗の導電体細線パターンからなるメッシュ状検知電極１２のメッシュパターンは、二つの平行線群が交差することによって形成されており、多数の細線部の交点１５が存在する。交点は、製造時に線幅が太りやすい。そして、斯かる太った交点の並びは、濃い筋状のむらとして視認されやすい。この現象は、透視性を確保するために電極の金属の細線部１４を細い線幅とし、且つ厚みを厚くすることにより、細線化によって増加した分の電気抵抗値を下げようと試みた場合に顕著となる。
【０００８】
さらに、図１０（ｂ）に示された例においては、上述したように、メッシュ状導電体細線パターン１４の外輪郭が長方形に切抜かれて各メッシュ状検知電極１２が構成されている。或いは、検知領域となるアクティブエリアの全域にメッシュパターンが形成され、各メッシュ状検知電極１２の輪郭に対応して、メッシュパターンをなす導電体細線部を断線させることにより、各メッシュ状検知電極１２が形成されている。このようなタッチパネル用電極基板では、各メッシュ状検知電極１２の外輪郭を画定するメッシュ状導電体が設けられていない筋状の領域または断線部の存在に起因して、濃淡のむらが視認され得る。
【０００９】
加えて、図１０に示されたメッシュ状検知電極１２を用いた場合、濃淡むらだけでなくモアレを引き起こすことも知られている。モアレは、明暗の筋模様が視認されるようになる現象であり、メッシュ状検知電極のパターンの規則性（周期性）と、メッシュ状検知電極と重ねられる他の部材のパターンの規則性（例えば、画像表示機構の画素配列の規則性）との干渉によって生じるとされている。このため、一般的には、メッシュ状検知電極１２のパターンを不規則化することが、モアレの不可視化に有効であるとされてきた。ただし、メッシュ状検知電極１２のパターンを単に不規則化すると、導電体細線部１４の分布が不均一となり、この不均一さに起因した濃淡むらも生じ得る。
【００１０】
また、図１０に示されたメッシュ状検知電極１２を用いた場合、ぎらつきといった不具合も生じ得る。ぎらつきは、複数の色成分が表示面上に粒状に多数視認される現象である。ぎらつきは、表示画像の色再現性を直接的に低下させ、これにより、画像表示機構による表示品位を劣化させるものである。ぎらつきの発生は、画像表示機構の特定の色成分を表現するためのサブ画素だけが集中的に導電体細線部１４によって覆われることが原因であると考えられている。
【００１１】
そして、従来の技術では、メッシュ状検知電極を用いた場合に、濃淡むら、モアレ、ぎらつきといった不具合のすべてに十分に対処できていなかった。本発明は、以上の点を考慮してなされたものであり、濃淡むら、モアレ、ぎらつきを十分に目立たなくさせる導電体細線部を含んだタッチパネル用電極基板、タッチパネル、及び表示装置を提供することを目的とする。
【課題を解決するための手段】
【００１２】
本発明によるタッチパネル用電極基板は、
各々が導電体細線部を含んだ複数の検知電極を備えるタッチパネル用電極基板であって、
前記複数の検知電極を構成する複数の導電体細線部の各々は、折れ線状または波線状のパターンで第１の方向に延び、且つ、複数の導電体細線部が、前記第１の方向と交差する第２の方向に、互いから離間して配列され、
次の条件（ａ）及び（ｂ）の少なくともいずれか一方が満たされる。
（ａ）前記第２方向に隣り合う少なくとも二つの導電体細線部の前記第２方向に沿った配置間隔が、前記第１方向に沿って一定ではない。
（ｂ）少なくとも一つの導電体細線部について、前記第２方向における一側に突出した部分の頂部の前記第１方向へのピッチが一定ではない。
【００１３】
本発明によるタッチパネル用電極基板において、各検知電極は、前記第２方向に隣り合う二以上の導電体細線部を含んでもよい。
【００１４】
本発明によるタッチパネル用電極基板において、各検知電極をなす前記二以上の導電体細線部は、前記第１方向における端部において互いに接続されていてもよい。
【００１５】
本発明によるタッチパネル用電極基板において、各検知電極をなす前記二以上の導電体細線部は、前記第１方向における両端部の各々において互いに接続されていてもよい。
【００１６】
本発明によるタッチパネル用電極基板において、
一つの導電体細線部の前記第２方向における一側へ突出した部分での頂部は、前記第１の方向において、当該一つの導電体細線部に前記第２方向の一側から隣り合う他の導電体細線部の前記第２方向における一側へ突出した部分が位置する領域に位置し、
当該一つの導電体細線部の前記第２方向における他側へ突出した部分での頂部は、前記第１の方向において、当該一つの導電体細線部に前記第２方向の他側から隣り合う他の導電体細線部の前記第２方向における他側へ突出した部分が位置する領域に位置するようにしてもよい。
【００１７】
本発明によるタッチパネル用電極基板において、
電極基板の法線方向に沿って前記複数の検知電極からずれた位置に配置された複数の第２検知電極を、さらに備え、
前記複数の検知電極を構成する複数の第２検知電極の各々は、折れ線状または波線状のパターンで前記第１方向と交差する第３方向に延びる第２導電体細線部を含み、
複数の第２導電体細線部が、前記第３方向及び前記第２方向の両方と交差する第４方向に、互いから離間して配置され、
次の条件（ｃ）及び（ｄ）の少なくともいずれか一方が満たされるようにしてもよい。
（ｃ）前記第４方向に隣り合う少なくとも二つの第２導電体細線部の前記第４方向に沿った配置間隔が、前記第３方向に沿って一定ではない。
（ｄ）少なくとも一つの第２導電体細線部について、前記第４方向における一側に突出した部分の頂部の前記第３方向へのピッチが一定ではない。
【００１８】
本発明によるタッチパネル用電極基板において、前記第３方向は、前記第２方向と平行であり、前記第４の方向は、前記第１の方向と平行であってもよい。
【００１９】
前記複数の第２導電体細線部のパターンは、前記複数の導電体細線部のパターンと回転対称であってもよい。
【００２０】
本発明によるタッチパネルは、上述した本発明によるタッチパネル用電極基板を備える。
【００２１】
本発明による表示装置は、上述した本発明によるタッチパネル用電極基板と、前記タッチパネル用電極基板と重ねて配置された画像表示機構と、を備える。
【発明の効果】
【００２２】
本発明によれば、濃淡むら、モアレ、ぎらつきを十分に目立たなくさせることができる。
【図面の簡単な説明】
【００２３】
【図１】図１は、本発明の一実施の形態を説明するための図であり、タッチパネルのタッチパネル用電極基板の概略構成を示す平面図である。
【図２】図２は、タッチパネル用電極基板の層構成の一例を示す図である。
【図３】図３は、タッチパネル用電極基板の層構成の他の例を示す図である。
【図４】図４は、タッチパネルの表面検知電極に含まれた表面導電体細線部の一例を示す平面図である。
【図５】図５は、タッチパネルの表面検知電極に含まれた表面導電体細線部の他の例を示す平面図である。
【図６】図６は、タッチパネルの表面検知電極に含まれた表面導電体細線部のさらに他の例を示す平面図である。
【図７】図７は、図６の表面導電体細線部の一部の拡大図である。
【図８】図８は、表面検知電極の表面導電体細線部と裏面検知電極の裏面導電体細線部とを重ねた状態で示す平面図である。
【図９】図９は、表示装置及びタッチパネル装置を模式的に示す図である。
【図１０】（ａ）従来技術のメッシュ状金属電極を持つタッチパネル用電極基板の模式図（斜視図）及び（ｂ）メッシュ状電極を主としたＲ部のＺ軸方向から見た平面視形状の拡大図である。
【発明を実施するための形態】
【００２４】
以下、本願発明の一実施形態について、図面を用いて以下に詳しく説明する。なお、本願発明は、以下に説明する一実施形態に何ら限定されるものではなく、本願発明の目的の範囲内において、適宜変更を加えて実施することができる。なお、図面は概念図であり、説明上の都合に応じて適宜、構成要素の縮尺関係、縦横比等は誇張されていることがある。
【００２５】
「シート面」とは、シート状のタッチパネル用電極基板１を全体的かつ大局的に見た場合において、その平面方向と一致する面のことを意味する。「シート面」は通常、透明絶縁基板３の表面又は平行な面でもあり、図１においては、ＸＹ平面又はこれと平行な面となる。
【００２６】
「平面視形状」とは「シート面」に平行な面における形状のことを意味する。言い換えると、「平面視形状」とは、「シート面」に立てた法線の方向（図１に於いては、Ｚ（軸）方向）から見た形状のことを意味する。
【００２７】
「シート」、「フィルム」、及び「板」の用語は呼称の違いのみに基づいて、互いから区別されるものではない。従って例えば、「板」はフィルムやシートとも呼ばれ得るような部材も含む概念である。
【００２８】
電極が「走向する」とは、タッチパネル用電極基板１を全体的かつ大局的に見た場合に、電極を構成する導電体細線部（線状導電体）１４ｓ又は１４ｒが、その方向に延びていることを示している。例えば、図４に於いて、表面検知電極２ｓ（以下、単に検知電極２ｓとも呼称する）を構成する表面導電体細線部１４ｓ（以下、単に導電体細線部１４ｓとも呼称する）は、Ｘ方向に走向している。又、導電体細線部１４ｓは、見方を換えれば、走向の方向に導通可能に検知電極２が形成されているとも言える。
【００２９】
［タッチパネル用電極基板の概略構成］
図１に示すように、投影型静電容量方式として構成されたタッチパネル用電極基板１は、その法線方向に沿って離間して配置された一対の検知電極２の群を有している。各検知電極２は、導電体細線部（線状導電体）１４ｓ又は１４ｒを含んでいる。観察者に近い側に位置する検知電極２を表面検知電極（第１検知電極）２ｓ、観察者から離れる側に位置する検知電極２、すなわち、画像表示機構２５に近い側に位置する検知電極２を裏面検知電極（第２検知電極）２ｒと呼称する。これらは、説明上一対の検知電極２の群を区別するための呼称であり、露出面に限定する趣旨で呼称してはいない。尚、此処で、タッチパネル用電極基板を組み込んだタッチパネルを設置した画像表示裝置に於いて、画像観察者乃至はタッチパネル操作者の側を表面と言い、其の反対側面である画像表示機構側の面を裏面と言う。
【００３０】
図２に示すように、タッチパネル用電極基板１は、両側の表面上に表面検知電極２ｓ及び裏面検知電極２ｒがそれぞれ形成された一枚の透明絶縁基板３を含むようにしてもよい。また一変形例として、図３に示すように、タッチパネル用電極基板１は、表面検知電極２ｓが形成された第１の透明絶縁基板３ａと、裏面検知電極２ｒが形成された第２の透明絶縁基板３ｂと、の二枚の透明絶縁基板３を含むようにしてもよい。なお、以下においては、図２に示された層構成について説明していくが、以下の構成および製造方法等の説明は、図３に示された表面検知電極２ｓ及び裏面検知電極２ｒに対しても同様に採用され得る。
【００３１】
本願においては図示しないが、必要に応じて加工工程に於ける均一性や、目視における均一性を担保するためのダミー電極などが必要に応じて設けられる場合が多い。これらは、製造プロセス、及び、製品の仕様に応じて適宜形成される。
【００３２】
また、検知電極２の保護を目的として、電極を形成した上に、フィルムを貼り合わせたり、ハードコート層などを形成して保護層とすることもできる。
【００３３】
［透明絶縁基板］
透明絶縁基板３は、検知電極２を支持する基材として機能し、且つ、タッチパネル用電極基板１における誘電体としても機能する。図１に示すように、透明絶縁基板３は、タッチ位置を検出され得る領域に対応するアクティブエリアＡａ１と、アクティブエリアＡａ１に隣接する非アクティブエリアＡａ２と、を含んでいる。一方、非アクティブエリアＡａ２は、矩形状のアクティブエリアＡａ１を四方から周状に取り囲むように、言い換えると、額縁状に形成されている。
【００３４】
透明絶縁基板３は、可視光線波長帯域の波長（３６０ｎｍ〜８３０ｎｍ）を透過する一般に言うところの透明である電気絶縁性の基板であれば特に制限はなく、ポリエチレンテレフタレート、ポリエチレンナフタレート等のポリエステル樹脂、ポリメチルメタクリレート等のアクリル樹脂、ポリプロピレン等のポリオレフィン樹脂、トリアセチルセルロース（三酢酸セルロース）等のセルロース系樹脂、ポリカーボネート樹脂などからなる樹脂シート、ガラス、セラミックス等からなる無機板を用いることができる。
【００３５】
なお、一般に、タッチパネル用電極基板１、或いはこれを用いたタッチパネルを、液晶表示装置の表示面上に配置する場合、その透明絶縁基板３として通常の２軸延伸ポリエチレンテレフタレートシートを用いると、当該シートが有する光学異方性による液晶表示装置の出射光の偏光面の回転効果と当該シートが有する偏光フィルタ効果（透過光中にはＰ偏光成分が、又反射光中にはＳ偏光成分が増えることによる）との複合効果によって、干渉縞乃至は虹色のムラが視認され画像視認性が阻害されることが知られている（特許第３９４７９５０号公報、特許第４８８８８５３号公報等参照）。本発明のタッチパネル用電極基板１乃至はこれを用いたタッチパネルに於いても、こうした問題は生じ得る。このような干渉縞乃至は虹色のムラを解消する為には、透明絶縁基板３として、以下の何れかのものを使うことが有効である。
（１）屈折率異方性の小さい材料。具体的には、面内位相差値Ｒｅが１００ｎｍ以下、好ましくは３０ｎｍ以下の材料を用いる。斯かる材料としては、トリアセチルセルロースからなる厚さ４０〜１２０μｍ程度のフィルムを挙げる事が出来る。
（２）特許第３９４７９５０号公報、特許第４８８８８５３号公報等に開示される如くの、面内位相差値Ｒｅが通常の２軸延伸ポリエチレンテレフタレートシートよりも十分大な値、具体的には、Ｒｅ≧３０００ｎｍ、より好ましくはＲｅ≧８０００ｎｍの高延伸倍率（３〜７倍程度）で延伸されたポリエチレンテレフタレートシート等のポリエステル樹脂シート。ここで面内位相差値Ｒｅは、上記樹脂シートのシート面内の遲相軸方向屈折率ｎｘ、進相軸方向屈折率ｎｙ、及び厚みｄから、Ｒｅ＝（ｎｘ−ｎｙ）×ｄとして定義される。
【００３６】
［検知電極及び取出配線］
図１に示すように、透明絶縁基板３の一方の側（観察者側）の面上には、多数の表面検知電極２ｓが設けられている。また、透明絶縁基板３の他方の側（画像表示機構２５の側）の面上には、多数の裏面検知電極２ｒが設けられている。各検知電極２は、位置検出に用いられ、アクティブエリアＡａ１内に配置されている。検知電極２には、非アクティブエリアＡａ２内に配置された取出配線４が接続されている。取出配線４には、透明絶縁基板３の一方の側（観察者側）の面上に設けられ且つ表面検知電極２ｓに接続された表面取出配線４ｓと、透明絶縁基板３の他方の側（画像表示機構２５の側）の面上に設けられ且つ裏面検知電極２ｒに接続された裏面取出配線４ｒと、が含まれる。なお、各検知電極２は、以下に説明するように導電体細線部１４ｓ，１４ｒによって形成されているが、図１では、各検知電極２が配置される領域を示している。
【００３７】
取出配線４は、検知電極２の各々に対し、接触位置の検出方法に応じて一つまたは二つ設けられている。各取出配線４は、対応する検知電極２に接続されて配線を形成している。取出配線４は、透明絶縁基板３の非アクティブエリアＡａ２内を、対応する検知電極２から透明絶縁基板３の端縁まで延びている。取出配線４は、図示しない外部接続配線（例えば、ＦＰＣ）を介し、制御回路（図示せず）に接続される。
【００３８】
検知電極２は、外部導体がタッチパネル用電極基板１に接近した際に生じる、電磁的な変化または静電容量の変化を検知するために設けられるものである。検知電極２（２ｓ、２ｒ）は、導電体材料が所定の線幅、及び、厚みで形成された導電体細線部１４ｓ、１４ｒから構成される。導電体材料としては、銅、金、銀、白金、錫、アルミニウム、ニッケル等の高導電性金属、及びこれらを含む合金を用いることができる。特にこれらの高導電性金属は、ＩＴＯ薄膜、ＩＺＯ薄膜等の金属酸化物薄膜に比べて、検知電極２を形成した面の表面電気抵抗率を低くできる利点がある。従って、高導電性金属の使用により、同一サイズのタッチパネル用電極基板１であれば、検知電極のライン抵抗が同じであれば、不透明である検知電極２を構成する導電体細線部１４ｓ、１４ｒの線幅を狭くすることが可能となり、透視性（可視光の透過率）の向上が実現できる。さらに、大面積のタッチパネル用電極基板１に適用する際にも十分な低電気抵抗が見込める。
【００３９】
検知電極２は、許容されるならば、表面電気抵抗率は金属からなる場合に比べて高くなるが、ＩＴＯ薄膜、ＩＺＯ（インジウム亜鉛酸化物）薄膜のような、完全に透明ではなく注視すればパターンが視認できる透明導電膜で形成されたものでもよい。
【００４０】
図４〜図６に、本発明における検知電極及び取出配線の複数の例を示す。
【００４１】
図４〜図６で示された例では、非アクティブエリアＡａ２に配置された表面取出配線（第１取出配線）４ｓは、表面配線部（第１配線部）６ｓと、表面配線部６ｓの端部に配置された表面接続部（第１接続部）５ｓと、を含んでいる。表面接続部５ｓは、表面導電体細線部１４ｓの長手方向である第１の方向（Ｘ）に非平行な方向に延びている。一つの表面検知電極２ｓに含まれる二以上の表面導電体細線部１４ｓの端部は、非アクティブエリアＡａ２まで延びて、共通の表面接続部５ｓに接続している。図示された例において、表面接続部５ｓは、表面導電体細線部１４ｓの配列方向である第２の方向（Ｙ）に延びている。また、図示された例において、第１の方向（Ｘ）は、第２の方向（Ｙ）と直交している。
【００４２】
次に、複数の導電体細線部１４を有してなる検知電極２について説明する。以下で説明する検知電極２の導電体細線部１４は、次の条件（ａ）及び（ｂ）の少なくともいずれか一方を満たすように構成されている。次の条件（ａ）及び（ｂ）の少なくともいずれか一方が満たされる場合、検知電極の導電体細線部が、ある程度の規則性を維持しながら、不規則的なパターンとなる。この結果、モアレ、濃淡むら、ぎらつきといった不具合を効果的に目立たなくさせることが可能となる。
（ａ）第２方向に隣り合う少なくとも二つの導電体細線部の第２の方向に沿った配置間隔が、第１の方向に沿って一定ではない。
（ｂ）少なくとも一つの導電体細線部について、第２の方向における一側に突出した部分の頂部の第１の方向（Ｘ）へのピッチが一定ではない。
【００４３】
図４に、表面検知電極２ｓを構成する表面導電体細線部（第１導電体細線部）１４ｓの一例を示す。この例では、表面導電体細線部１４ｓが、折れ線状または波線状のパターンで第１の方向（Ｘ）に延びている。そして、複数の表面導電体細線部１４ｓが、第１の方向（Ｘ）と交差する第２の方向（Ｙ）に、互いから離間して配列されている。
【００４４】
図４に示された例において、表面検知電極２ｓは、複数の表面導電体細線部１４ｓとして、複数の第１の表面導電体細線部１４ｓ１と複数の第２の表面導電体細線部１４ｓ２とを有している。複数の第１の表面導電体細線部１４ｓ１は、互いに同一の平面視形状、すなわち平面視パターンを有している。同様に、複数の第２の表面導電体細線部１４ｓ２は、互いに同一の平面視形状、すなわち互いに同一の平面視パターンを有している。一方、第１の表面導電体細線部１４ｓ１と第２の表面導電体細線部１４ｓ２は、互いに異なる平面視形状、すなわち互いに異なる平面視パターンを有している。第１の表面導電体細線部１４ｓ１及び第２の表面導電体細線部１４ｓ２は、第２の方向（Ｙ）に交互に配列されている。
【００４５】
表面導電体細線部１４ｓ１は、第１の方向（Ｘ）からの傾斜角度が相対的に小さい第１の線分ＬＳ１と、第１の方向（Ｘ）からの傾斜角度が、第１の線分ＬＳ１における傾斜角度と絶対値が同じで向きが反対である第２の線分ＬＳ２とを交互に接続した形状を有している。第１の線分ＬＳ１の第１の方向（Ｘ）に沿った長さと、第２の線分ＬＳ２の第１の方向（Ｘ）に沿った長さは、同一となっている。また、第１の線分ＬＳ１と第２の線分ＬＳ２は、第１の方向（Ｘ）に交互に配置されている。一方、表面導電体細線部１４ｓ２は、第１の方向（Ｘ）からの傾斜角度が相対的に大きい第３の線分ＬＳ３と、第１の方向（Ｘ）からの傾斜角度が、第３の線分における傾斜角度と絶対値が同じで向きが反対である第４の線分ＬＳ４とを交互に接続した形状を有している。第３の線分ＬＳ３の第１の方向（Ｘ）に沿った長さと、第４の線分ＬＳ４の第１の方向（Ｘ）に沿った長さは、同一となっている。また、第３の線分ＬＳ３と第４の線分ＬＳ４は、第１の方向（Ｘ）に交互に配置されている。
【００４６】
なお、図４〜図６で示された例において、「線分」とは、表面導電体細線部１４ｓが折れ線状の場合は、その頂点から次の頂点までの直線部分を指し、表面導電体細線部１４ｓが波線状の場合は、その頂点から次の頂点までの曲線部分を指している。
【００４７】
以上の構成により、図４に示された検知電極２の導電体細線部１４は、条件（ａ）を満たしている。
（ａ）第２の方向（Ｙ）に隣り合う少なくとも二つの導電体細線部１４ｓ１，１４ｓ２の第２の方向（Ｙ）に沿った配置間隔Ｄ１が、第１の方向（Ｘ）に沿って一定ではない。
【００４８】
また、表面導電体細線部１４ｓ１における第１の線分ＬＳ１と第２の線分ＬＳ２との接続点、すなわち、表面導電体細線部１４ｓ１の折れ線または波線における頂部１４ｓａ，１４ｓｂと、表面導電体細線部１４ｓ２における第３の線分ＬＳ３と第４の線分ＬＳ４との接続点、すなわち、表面導電体細線部１４ｓ２の折れ線における頂部１４ｓａ，１４ｓｂとは、その第１の方向（Ｘ）に沿った位置がほぼ一致するようにしてもよい。とりわけ図４に示された例では、第１の表面導電体細線部１４ｓ１の第１の線分ＬＳ１の第１の方向（Ｘ）に沿った長さと、第２の表面導電体細線部１４ｓ２の第３の線分ＬＳ３の第１の方向（Ｘ）に沿った長さが、同一となっている。また、第１の表面導電体細線部１４ｓ１の第２の線分ＬＳ２の第１の方向（Ｘ）に沿った長さと、第２の表面導電体細線部１４ｓ２の第４の線分ＬＳ４の第１の方向（Ｘ）に沿った長さが、同一となっている。そして、第１の表面導電体細線部１４ｓ１の折れ線または波線における頂部１４ｓａ，１４ｓｂの第１の方向（Ｘ）における位置と、第２の表面導電体細線部１４ｓ２の折れ線または波線における頂部１４ｓａ，１４ｓｂの第１の方向（Ｘ）における位置が、同一となっている。
【００４９】
図５に、表面検知電極２ｓを構成する表面導電体細線部（第１導電体細線部）１４ｓの他の例を示す。この例でも、表面導電体細線部１４ｓが、折れ線状または波線状のパターンで第１の方向（Ｘ）に延びている。そして、複数の表面導電体細線部１４ｓが、第１の方向（Ｘ）と交差する第２の方向（Ｙ）に、互いから離間して配列されている。
【００５０】
図５に示された例において、表面検知電極２ｓは、複数の表面導電体細線部１４ｓとして、複数の第３の表面導電体細線部１４ｓ３を有している。複数の第３の表面導電体細線部１４ｓ３は、互いに同一の平面視形状、すなわち平面視パターンを有している。各第３の表面導電体細線部１４ｓ３は、折れ線状または波線状のパターンで第１の方向（Ｘ）に延びている。複数の第３の表面導電体細線部１４ｓ３は、第１の方向（Ｘ）と交差する第２の方向（Ｙ）に、互いから離間して配列されている。
【００５１】
複数の第３の表面導電体細線部１４ｓ３は、互いに同一の平面視形状、すなわち平面視パターンを有している。各第３の表面導電体細線部１４ｓ３は、第１の方向（Ｘ）に対して傾斜した第５〜第８の線分ＬＳ５〜ＬＳ８を含んでいる。第５〜第８の線分ＬＳ５〜ＬＳ８は、この順番にて、第１の方向（Ｘ）に繰り返し配列されている。
【００５２】
図示された例において、第５の線分ＬＳ５の第１の方向（Ｘ）に対する傾斜角度は、第８の線分ＬＳ８の第１の方向（Ｘ）に対する傾斜角度と絶対値において同一となっている。ただし、第５の線分ＬＳ５の第１の方向（Ｘ）に対する傾斜の向きは、第８の線分ＬＳ８の第１の方向（Ｘ）に対する傾斜の向きと逆となっている。また、第５の線分ＬＳ５の第１の方向（Ｘ）に沿った長さは、第８の線分ＬＳ８の第１の方向（Ｘ）に沿った長さと同一となっている。
【００５３】
また、第６の線分ＬＳ６の第１の方向（Ｘ）に対する傾斜角度は、第７の線分ＬＳ７の第１の方向（Ｘ）に対する傾斜角度と絶対値において同一となっている。ただし、第６の線分ＬＳ６の第１の方向（Ｘ）に対する傾斜の向きは、第７の線分ＬＳ７の第１の方向（Ｘ）に対する傾斜の向きと逆となっている。また、第６の線分ＬＳ６の第１の方向（Ｘ）に沿った長さは、第７の線分ＬＳ７の第１の方向（Ｘ）に沿った長さと同一となっている。
【００５４】
第６及び第７の線分ＬＳ６，ＬＳ７の第１の方向（Ｘ）に対する傾斜角度は、第５及び第８の線分ＬＳ５，ＬＳ８の第１の方向（Ｘ）に対する傾斜角度よりも絶対値において大きくなっている。第５及び第８の線分ＬＳ５，ＬＳ８の第１の方向（Ｘ）に沿った長さは、第６及び第７の線分ＬＳ６，ＬＳ７の第１の方向（Ｘ）に沿った長さよりも長くなっている。
【００５５】
以上の構成により、図５に示された検知電極２の導電体細線部１４は、条件（ｂ）を満たしている。
（ｂ）少なくとも一つの導電体細線部について、第２の方向（Ｙ）における一側に突出した部分の頂部１４ｓａの第１の方向（Ｘ）へのピッチが一定ではない。
【００５６】
図５に示された例では、第３の表面導電体細線部１４ｓ３について、第２の方向（Ｙ）における一側に突出した頂部１４ｓａの第１の方向（Ｘ）へのピッチは、第１のピッチＰ１と第２のピッチＰ２とを繰り返すことになる。さらに、図５に示された例では、第３の表面導電体細線部１４ｓ３について、第２の方向（Ｙ）における他側に突出した部分の頂部１４ｓｂの第１の方向（Ｘ）へのピッチは一定である。しかし、第３の表面導電体細線部１４ｓ３における、第２の方向（Ｙ）における他側に突出した部分の頂部１４ｓｂの第１の方向（Ｘ）へのピッチは一定でなくてもかまわない。すなわち、第３の表面導電体細線部１４ｓ３の、第２の方向（Ｙ）における一側に突出した部分の頂部１４ｓａの第１の方向（Ｘ）へのピッチだけでなく、第２の方向（Ｙ）における他側に突出した部分の頂部１４ｓｂの第１の方向（Ｘ）へのピッチも変化していてもよい。
【００５７】
なお、複数の表面導電体細線部１４ｓ３の、第２方向における一側に突出した部分の頂部１４ｓａの第１の方向（Ｘ）に沿った位置が、それぞれほぼ一致するようにしてもよい。また、複数の表面導電体細線部１４ｓ３の、第２方向における他側（例えば、図５における紙面の下側）に突出した部分の頂部１４ｓｂの第１の方向（Ｘ）に沿った位置が、それぞれほぼ一致するようにしてもよい。
【００５８】
図６に、表面検知電極２ｓを構成する表面導電体細線部（第１導電体細線部）１４ｓのさらに他の例を示す。この例でも、表面導電体細線部１４ｓが、折れ線状または波線状のパターンで第１の方向（Ｘ）に延びている。そして、複数の表面導電体細線部１４ｓが、第１の方向（Ｘ）と交差する第２の方向（Ｙ）に、互いから離間して配列されている。
【００５９】
図６に示された例において、表面検知電極２ｓは、複数の表面導電体細線部１４ｓとして、複数の第４の表面導電体細線部１４ｓ４と複数の第５の表面導電体細線部１４ｓ５とを有している。複数の第４の表面導電体細線部１４ｓ４は、互いに同一の平面視形状、すなわち平面視パターンを有している。同様に、複数の第５の表面導電体細線部１４ｓ５は、互いに同一の平面視形状、すなわち互いに同一の平面視パターンを有している。一方、第４の表面導電体細線部１４ｓ４と第５の表面導電体細線部１４ｓ５は、互いに異なる平面視形状、すなわち互いに異なる平面視パターンを有している。第４の表面導電体細線部１４ｓ４及び第５の表面導電体細線部１４ｓ５は、第２の方向（Ｙ）に交互に配列されている。
【００６０】
複数の第４の表面導電体細線部１４ｓ４は、互いに同一の平面視形状、すなわち平面視パターンを有している。各第４の表面導電体細線部１４ｓ４は、第１の方向（Ｘ）に対して傾斜した第９の線分ＬＳ９及び第１０の線分ＬＳ１０を含んでいる。第９の線分ＬＳ９及び第１０の線分ＬＳ１０は、この順番にて、第１の方向（Ｘ）に繰り返し配列されている。
【００６１】
図示された例において、第９の線分ＬＳ９の第１の方向（Ｘ）に対する傾斜角度は、第１０の線分ＬＳ１０の第１の方向（Ｘ）に対する傾斜角度と絶対値において同一となっている。ただし、第９の線分ＬＳ９の第１の方向（Ｘ）に対する傾斜の向きは、第１０の線分ＬＳ１０の第１の方向（Ｘ）に対する傾斜の向きと逆となっている。また、第９の線分ＬＳ９の第１の方向（Ｘ）に沿った長さは、第１０の線分ＬＳ１０の第１の方向（Ｘ）に沿った長さと同一となっている。
【００６２】
同様に、複数の第５の表面導電体細線部１４ｓ５は、互いに同一の平面視形状、すなわち平面視パターンを有している。ただし、各第５の表面導電体細線部１４ｓ５は、第１の方向（Ｘ）に対して傾斜した第１１〜第１４の線分ＬＳ１１〜ＬＳ１４を含んでいる。第１１〜第１４の線分ＬＳ１１〜ＬＳ１４は、この順番にて、第１の方向（Ｘ）に繰り返し配列されている。
【００６３】
図示された例において、第１１の線分ＬＳ１１の第１の方向（Ｘ）に対する傾斜角度は、第１４の線分ＬＳ１４の第１の方向（Ｘ）に対する傾斜角度と絶対値において同一となっている。ただし、第１１の線分ＬＳ１１の第１の方向（Ｘ）に対する傾斜の向きは、第１４の線分ＬＳ１４の第１の方向（Ｘ）に対する傾斜の向きと逆となっている。また、第１１の線分ＬＳ１１の第１の方向（Ｘ）に沿った長さは、第１４の線分ＬＳ１４の第１の方向（Ｘ）に沿った長さと同一となっている。
【００６４】
また、第１２の線分ＬＳ１２の第１の方向（Ｘ）に対する傾斜角度は、第１３の線分ＬＳ１３の第１の方向（Ｘ）に対する傾斜角度と絶対値において同一となっている。ただし、第１２の線分ＬＳ１２の第１の方向（Ｘ）に対する傾斜の向きは、第１３の線分ＬＳ１３の第１の方向（Ｘ）に対する傾斜の向きと逆となっている。また、第１２の線分ＬＳ１２の第１の方向（Ｘ）に沿った長さは、第１３の線分ＬＳ１３の第１の方向（Ｘ）に沿った長さと同一となっている。
【００６５】
第１２及び第１３の線分ＬＳ１２，ＬＳ１３の第１の方向（Ｘ）に対する傾斜角度は、第１１及び第１４の線分ＬＳ１１，ＬＳ１４の第１の方向（Ｘ）に対する傾斜角度よりも絶対値において大きくなっている。第１１及び第１４の線分ＬＳ１１，ＬＳ１４の第１の方向（Ｘ）に沿った長さは、第１２及び第１３の線分ＬＳ１２，ＬＳ１３の第１の方向（Ｘ）に沿った長さよりも長くなっている。
【００６６】
以上の構成により、図６に示された検知電極２の導電体細線部１４は、条件（ａ）及び（ｂ）の両方を満たしている。
（ａ）第２の方向（Ｙ）に隣り合う少なくとも二つの導電体細線部１４ｓ４，１４ｓ５の第２の方向（Ｙ）に沿った配置間隔Ｄ２が、第１の方向（Ｘ）に沿って一定ではない。
（ｂ）少なくとも一つの導電体細線部１４ｓ５について、第２の方向（Ｙ）における一側に突出した部分の頂部１４ｓａの第１の方向（Ｘ）へのピッチが一定ではない。
【００６７】
図６に示された例では、第４の表面導電体細線部１４ｓ４について、第２の方向（Ｙ）に突出した頂部１４ｓａ，１４ｓｂの第１の方向（Ｘ）へのピッチは一定となっている。しかしながら、この例に限られず、第４の表面導電体細線部１４ｓ４について、第２の方向（Ｙ）に突出した頂部１４ｓａ，１４ｓｂの第１の方向（Ｘ）へのピッチが、変化するようにしてもよい。
【００６８】
また、図６に示された例では、第５の表面導電体細線部１４ｓ５について、第２の方向（Ｙ）における一側に突出した頂部１４ｓａの第１の方向（Ｘ）へのピッチは、第３のピッチＰ３と第４のピッチＰ４とを繰り返すことになる。さらに、図６に示された例では、第５の表面導電体細線部１４ｓ５について、第２の方向（Ｙ）における他側に突出した部分の頂部１４ｓｂの第１の方向（Ｘ）へのピッチは一定である。しかし、第５の表面導電体細線部１４ｓ５における、第２の方向（Ｙ）における他側に突出した部分の頂部１４ｓｂの第１の方向（Ｘ）へのピッチは一定でなくてもかまわない。すなわち、第５の表面導電体細線部１４ｓ５の、第２の方向（Ｙ）における一側に突出した部分の頂部１４ｓａの第１の方向（Ｘ）へのピッチだけでなく、第２の方向（Ｙ）における他側に突出した部分の頂部１４ｓｂの第１の方向（Ｘ）へのピッチも変化していてもよい。
【００６９】
なお、複数の表面導電体細線部１４ｓ４，１４ｓ５の、第２の方向（Ｙ）における他側に突出した部分の頂部１４ｓｂの第１の方向（Ｘ）に沿った位置が、それぞれほぼ一致するようにしてもよい。とりわけ図６に示された例では、第４の表面導電体細線部１４ｓ４の第９の線分ＬＳ９及び第１０の線分ＬＳ１０の第１の方向（Ｘ）に沿った合計長さと、第５の表面導電体細線部１４ｓ４の第１１の線分ＬＳ１１及び第１２の線分ＬＳ１２の第１の方向（Ｘ）に沿った合計長さと同一である。また、第４の表面導電体細線部１４ｓ４の第９の線分ＬＳ９及び第１０の線分ＬＳ１０の第１の方向（Ｘ）に沿った合計長さと、第５の表面導電体細線部１４ｓ４の第１３の線分ＬＳ１３及び第１４の線分ＬＳ１４の第１の方向（Ｘ）に沿った合計長さも同一である。このため、第４の表面導電体細線部１４ｓ４の、第２の方向（Ｙ）における他側に突出した頂部１４ｓｂは、第５の表面導電体細線部１４ｓ５の、第２の方向（Ｙ）における他側に突出した頂部１４ｓｂと、第１の方向（Ｘ）において同一の位置に位置している。その一方で、第４の表面導電体細線部１４ｓ４の、第２の方向（Ｙ）における一側に突出した頂部１４ｓａは、第５の表面導電体細線部１４ｓ５の、第２の方向（Ｙ）における一側に突出した頂部１４ｓａと、第１の方向（Ｘ）にずれて配置されている。
【００７０】
図４〜図６に示した例において、各表面検知電極２ｓは、複数の表面導電体細線部１４ｓを含んでいてもよい。図４〜図６で示された例では、各表面検知電極２ｓは、それぞれ５つの表面導電体細線部１４ｓを含んでいる。各表面検知電極２ｓをなす二以上の表面導電体細線部１４ｓは、第１の方向（Ｘ）の端部において互いに接続されている。なお、一つの表面検知電極２ｓをなす二以上の表面導電体細線部１４ｓは、片側の端部のみで互いに接続されていてもよいし、或いは、当該表面検知電極２ｓが両端において表面取出配線４ｓに接続される否かにかかわらず、その両端部で互いに接続されていてもよい。
【００７１】
このような検知電極２によれば、当該検知電極２をなす表面導電体細線部１４ｓの一本に断線等の不具合が生じたとしても、このタッチパネル用電極基板１を含むタッチパネル２０全体として検知精度を大幅に低下させることはない。すなわち、タッチパネル２０の検出機能の信頼度を確保することができる。
【００７２】
次に、図７を参照して、隣り合った表面導電体細線部（第１導電体細線部）１４ｓ間における、一の表面導電体細線部１４ｓの頂部１４ｓａ，１４ｓｂと、他の表面導電体細線部１４ｓの突出部との、第１の方向（Ｘ）に沿った位置関係について説明する。
【００７３】
図７は、図６に示された表面検知電極２ｓの部分拡大図である。図７では、中央の表面導電体細線部１４ｓ７と、中央の表面導電体細線部１４ｓ７に対して第２の方向（Ｙ）における一側から隣り合う一側の表面導電体細線部１４ｓ６と、中央の表面導電体細線部１４ｓ７に対して第２の方向（Ｙ）における他側から隣り合う他側の表面導電体細線部１４ｓ８とが、図示されている。中央の表面導電体細線部１４ｓ７は、上述した第４の表面導電体細線部１４ｓ４として構成されており、一側及び他側の表面導電体細線部１４ｓ６，１４ｓ８は、上述した第５の表面導電体細線部１４ｓ５として構成されている。
【００７４】
折れ線状または波線状からなる表面導電体細線部１４ｓ６〜１４ｓ８は、それぞれ第２の方向（Ｙ）における一側の突出した部分と、第２の方向（Ｙ）における他側の突出した部分と、を含んでいる。図７に示された例において、中央の表面導電体細線部１４ｓ７の第２の方向（Ｙ）における一側へ突出した部分での頂部１４ｓａ（黒丸で示す）は、第１の方向（Ｘ）において、当該中央の表面導電体細線部１４ｓ７に第２の方向（Ｙ）の一側から隣り合う一側の表面導電体細線部１４ｓ６の第２の方向（Ｙ）における一側へ突出した部分が位置する領域（Ｌ１，Ｌ２，Ｌ３）に位置している。また、中央の表面導電体細線部１４ｓ７の第２の方向（Ｙ）における他側へ突出した部分での頂部１４ｓｂ（白丸で示す）は、第１の方向（Ｘ）において、当該中央の表面導電体細線部１４ｓ７に第２の方向（Ｙ）の他側から隣り合う他側の表面導電体細線部１４ｓ８の第２の方向（Ｙ）における他側へ突出した部分が位置する領域（Ｍ１，Ｍ２）に位置している。
【００７５】
ここで、「一側の表面導電体細線部の第２の方向（Ｙ）における一側へ突出した部分が位置する領域」とは、一側の表面導電体細線部において、当該一側の表面導電体細線部を構成する各線分の各中心点を順に結んだ線（図７では一点鎖線で示す）よりも、第２の方向（Ｙ）における一側へ突出した部分が位置する領域（Ｌ１，Ｌ２，Ｌ３）を指している。
【００７６】
同様に、「他側の表面導電体細線部の第２の方向（Ｙ）における他側へ突出した部分が位置する領域」とは、他側の表面導電体細線部において、当該他側の表面導電体細線部を構成する各線分の各中心点を順に結んだ線（同じく一点鎖線で示す）よりも、第２の方向（Ｙ）における他側へ突出した部分が位置する領域（Ｍ１，Ｍ２）を指している。
【００７７】
なお、図７に示した例では、各線分の各中心点を順に結んだ線が全体として直線状に見えるが、表面導電体細線部１４ｓの形状によっては、各線分の各中心点を順に結んだ線が直線状にならない場合（例えばジグザグ状等）もあり得る。
【００７８】
このような配置によれば、表面導電体細線部（第１導電体細線部）１４ｓを、第２の方向（Ｙ）に短ピッチで配置することができる。したがって、アクティブエリアＡａ１内での検知精度を向上させることが可能となる。
【００７９】
また、表面導電体細線部１４ｓの第２の方向（Ｙ）における一側（他側）へ突出した部分での頂部１４ｓａ（１４ｓｂ）を、第１の方向（Ｘ）において所定の領域内に配置することで、折れ線状または波線状のパターンで第１の方向（Ｘ）に延びる表面導電体細線部１４ｓの配置を、単に不規則化するのではなく、ある程度の規則性を残しつつ適度な不規則性を付与することができる。
【００８０】
これにより、従来のメッシュ状電極１２を用いた場合に比べて、モアレを目立たなくさせることができる。また、規則的なパターンで配置された導電体細線部によって画像表示機構の特定の色成分を表現するためのサブ画素だけが覆われることを防止でき、ぎらつきの発生を抑制することができる。
【００８１】
一方、裏面検知電極（第２検知電極）２ｒを構成する裏面導電体細線部（第２導電体細線部）１４ｒは、折れ線状または波線状のパターンで第１の方向（Ｘ）と交差する第３の方向に延びている。そして、複数の裏面導電体細線部１４ｒは、第２の方向（Ｙ）および第３の方向の両方と交差する第４の方向に、互いから離間して配列されている。
【００８２】
図示された例では、図８に示すように、裏面導電体細線部１４ｒの長手方向である第３の方向は、第２の方向（Ｙ）と平行となっている。また、裏面導電体細線部１４ｒの配列方向である第４の方向は、第１の方向（Ｘ）と平行になっている。つまり、表面導電体細線部１４ｓの長手方向と裏面導電体細線部１４ｒの長手方向は直交している。また、表面導電体細線部１４ｓの配列方向と裏面導電体細線部１４ｒの配列方向は直交している。しかしながら、この例に限られることなく、タッチパネル用電極基板１としては、表面導電体細線部１４ｓの長手方向と裏面導電体細線部１４ｒの長手方向は、直交している必要はなく、交差していればよい。同様に、表面導電体細線部１４ｓの配列方向と裏面導電体細線部１４ｒの配列方向も、直交している必要はなく、交差していればよい。
【００８３】
裏面検知電極２ｒを構成する裏面導電体細線部１４ｒは、表面検知電極２ｓを構成する表面導電体細線部１４ｓと配置が異なるが、表面導電体細線部１４ｓと同様に構成することができる。例えば、（ａ）第４方向に隣り合う少なくとも二つの導電体細線部の前記第４方向に沿った配置間隔が、第３方向に沿って一定ではない、（ｂ）少なくとも一つの導電体細線部について、前記第４方向における一側に突出した部分の頂部の前記第３方向へのピッチが一定ではない、の少なくともいずれか一方が満たされるようにしてもよい。また、各裏面検知電極２ｒが、その配列方向に隣り合う二以上の裏面導電体細線部１４ｒを含んでいてもよい。各裏面検知電極２ｒをなす二以上の裏面導電体細線部１４ｒが、その長手方向における片側の端部において又はその長手方向における両側の端部において、互いに接続されていてもよい。また、各裏面検知電極２ｒをなす二以上の裏面導電体細線部１４ｒが、その長手方向における片側の端部において又はその長手方向における両側の端部において、同一の裏面取出配線４ｒに接続されていてもよい。なお、図８に示すように、裏面取出配線（第２取出配線）４ｒは、裏面接続部（第２接続部）５ｒおよび裏面配線部（第２配線部）６ｒを有し、各裏面検知電極２ｒをなす二以上の裏面導電体細線部１４ｒは対応する裏面接続部５ｒによって互いに接続されるようにしてもよい。さらに、複数の裏面導電体細線部１４ｒのパターンは、複数の表面導電体細線部１４ｓのパターンと回転対称となっていてもよい。
【００８４】
以上に説明した波線状または折れ線状の導電体細線部１４ｓ、１４ｒによって検知電極２を形成することにより、単なる直線のライン形状乃至はストライプ形状で検知電極を形成した場合に比べて検知電極一本当たりの検知可能面積が広くなり、透明電極やメッシュ状検知電極１２の場合と比較して少ない検知電極の設置面積であっても、透明電極やメッシュ状検知電極１２の場合と同様の検知可能面積を確保することができる。従って、タッチ位置の検知感度の安定と検知感度の向上（分解能の向上）が可能となる。
【００８５】
さらに、メッシュ状検知電極１２と比較した場合、表皮効果による実効断面積の低下や、導体が隣接しているところに交流電流が流れると、近接効果によって直流の場合や導体が単独の場合と異なり、電気抵抗が高くなるといった現象が見られる。一方、上述の如き導電体細線部から構成される本実施の形態の検知電極２の場合は、これらの現象が見られない。したがって、検知電極の電気抵抗が同じであっても、Ｚ軸方向から見た際の平面視形状において透視性を妨げる導電体が占める面積を少なく設計することが可能となり、透視性（開口率）の向上と低電気抵抗の両方を向上させることができる。
【００８６】
その上、メッシュ状検知電極１２と比較した場合には、細線部の交点１５に該当する部位が存在しないため、電極形成時に生じる細線部の交点１５における細線の線幅の増加による周期的な線幅の変動が大幅に低減される。従って、透視性の向上とともに、メッシュの交点が目立つために生じる濃淡の模様も大幅に低減できる。
【００８７】
さらに、メッシュ状検知電極１２では、一つの検知電極と、当該検知電極と隣り合う別の検知電極と、の間となる領域が目立ってしまい、濃淡むらが視認されることがあった。一方、図４〜図８に示されたタッチパネル用電極基板１では、アクティブエリアＡａ１内における導電体細線部１４ｓ、１４ｒの配置を高い自由度で調整することが可能であり、これにより、濃淡むらを効果的に目立たなくさせることができる。
【００８８】
以上のように本実施の形態では、複数の検知電極２を構成する複数の導電体細線部１４の各々は、折れ線状または波線状のパターンで第１の方向（Ｘ）に延び、且つ、複数の導電体細線部１４が、第１の方向（Ｘ）と交差する第２の方向（Ｙ）に、互いから離間して配列されている。そして、次の条件（ａ）及び（ｂ）の少なくともいずれか一方が満たされる。
（ａ）第２の方向（Ｙ）に隣り合う少なくとも二つの導電体細線部１４の第２の方向（Ｙ）に沿った配置間隔が、第１方向に沿って一定ではない。
（ｂ）少なくとも一つの導電体細線部１４について、第２の方向（Ｙ）における一側に突出した部分の頂部１４ｓａの第１の方向（Ｘ）へのピッチが変化する。
【００８９】
このような本実施の形態によれば、上記条件（ａ）及び（ｂ）の少なくともいずれか一方が満たされることにより、複数の導電体細線部１４の規則性が崩されることになる。ただしその一方で、各導電体細線部１４は第１の方向（Ｘ）に延び、且つ、複数の導電体細線部１４が第２の方向（Ｙ）に互いから離間して配列されているため、複数の導電体細線部１４のパターンが或る程度の規則性を維持することになる。このようなタッチパネル用電極基板によれば、規則的に配列された要素を含む他の部材（例えば、規則的に配列された画素を有する画像表示機構）と組み合わされた際のモアレを効果的に目立たなくさせることができ、同時に、パターンの不規則性に起因した濃淡むらやぎらつきといった不具合も効果的に目立たなくさせることができる。
【００９０】
ところで、導電体細線部（１４ｓ、１４ｒ）の線幅は、検知電極２の材料の電気抵抗率や膜厚、タッチパネルのサイズ、タッチパネルを見る距離などを考慮して、タッチ位置の検知に十分な電気抵抗値が得られるように設計してやればよい。一般に、大きなタッチパネルでは、導電体細線部（１４ｓ、１４ｒ）の長さが長くなる一方、あまり近くから見ることはないため、低電気抵抗値が出しやすい大きな導電体細線部（１４ｓ、１４ｒ）の線幅でも視認されにくい。一方で小さなタッチパネルでは導電体細線部（１４ｓ、１４ｒ）の長さは短いため導電体細線部（１４ｓ、１４ｒ）の線幅を太くする必要はなく、むしろ細くしないと、タッチパネルを近くから見る場合が多いため目立ってしまう。例えば、線幅は５０μｍ以下、好ましくは３０μｍ以下、より好ましくは１５μｍ以下、さらに好ましくは１０μｍ以下とするとよい。下限は、例えば、断線を回避する為に１μｍ以上、好ましくは３μｍ以上とする。
【００９１】
また、導電体細線部（１４ｓ、１４ｒ）の振幅は、感知すべき分解能と検知電極２の抵抗値を考慮して設計すればよい。導電体細線部（１４ｓ、１４ｒ）の振幅を大きくすると接触面積が小さなものでも安定して検知するようになるが、走向方向での検知電極２の抵抗値は大きくなる。
【００９２】
さらに、複数の導電体細線部（１４ｓ、１４ｒ）の、その走向する方向と直交する方向への配列ピッチは、タッチするものとして想定されるものと検知する分解能を考慮して設定される。指でタッチすることを想定した場合、指の接触面に第１の方向（Ｘ）、第２の方向（Ｙ）にそれぞれ最低１本の検知電極（２ｓ、２ｒ）が掛かるようにする。この場合検知電極のピッチは３ｍｍから１０ｍｍ程度があれば操作しやすい。タッチペンなどの小面積のものでタッチする場合は、この場合導電体細線部（１４ｓ、１４ｒ）のピッチを小さく設定することで検知できる分解能を向上できる。なお、１本の検知電極（２ｓ、２ｒ）中には、最低１本の導電体細線部（１４ｓ、１４ｒ）が含まれる。上述したように、図１の例では、１本の検知電極は複数本の導電体細線部から構成されている。
【００９３】
なお、図２に示された例では、導電体細線部からなる検知電極が透明絶縁基板３の両面に形成された形態であるが、本発明のタッチパネル用電極基板１は、例えば図３に示すように、導電体細線部からなる検知電極２が透明絶縁基板３の片面に形成された形態もあり得る。
【００９４】
検知電極２を構成する導電体細線部（１４ｓ、１４ｒ）のパターンの形成方法としては、例えば、金属薄膜に対して、フォトリソグラフィを用いたエッチングによって、または印刷レジストによるエッチングによって、さらにまた、導電ペーストの印刷、金属薄膜に対するリフトオフ等の方法によってそれぞれ形成することができる。上記エッチングする金属薄膜は、真空蒸着法、スパッタリング法、イオンプレーティング法、鍍金法や金属箔の貼り合わせなどで形成することができる。
【００９５】
導電体細線部（１４ｓ、１４ｒ）のパターンをフォトエッチングにより形成する場合、金属膜上にフォトレジスト膜を形成し、導電体細線部からなる検知電極２のパターンを有するフォトマスクを用いて露光し、現像液で現像することによりレジスト膜の検知電極２のパターンを形成する。これをエッチング液によりエッチングし、レジスト膜を剥離除去することにより導電体細線部により構成された検知電極２のパターンを形成する。
【００９６】
また、印刷レジストにより形成する場合は、金属膜上にスクリーン印刷、グラビア印刷、インクジェット等の方法により、作製されるべき検知電極２のパターンで、レジスト膜を形成し、エッチング液により金属膜におけるレジスト被覆部以外をエッチングし、レジスト膜を剥離することにより金属膜に導電体細線部からなる検知電極のパターンを形成する。
【００９７】
また、導電ペースト印刷により形成する場合は、金属微粒子を含む導電性ペースト、カーボンペースト等で透明基板上に導電体細線部により構成された検知電極２のパターンを印刷し、導電性の検知電極２のパターンを形成する。
【００９８】
金属微粒子とバインダ樹脂を含む導電ペースト等を用いた印刷法により形成する場合は、バインダ樹脂として、熱硬化性樹脂、電離放射線硬化性樹脂、熱可塑性樹脂などを用いることができる。なかでも、アクリレート系の電離放射線硬化性樹脂は、硬化が迅速で且つ検知電極２の強度にも優れ、好ましい樹脂の一種である。
【００９９】
また、リフトオフ法により導電体細線部からなる検知電極２のパターンを形成する場合には、透明絶縁基板３上に、液体レジストやドライフィルムレジストにより検知電極２の反転（陰画）パターンを形成する。続いて、金属蒸着層の形成、又は、金属粉末とバインダ樹脂を含む導電ペーストを塗工した後に、レジストパターンやドライフィルムレジストを其の直上部の金屬蒸着層乃至は導電ペースト層と共に剥離することにより、検知電極２を形成することできる。リフトオフ法による形成は、検知電極２を構成する導電体細線部の線幅の均一性が高く本発明の製造方法として適している。
【０１００】
［タッチパネル］
図９に示されたタッチパネル２０は、上記したタッチパネル用電極基板１を含んでなる入力装置である。上述したタッチパネル用電極基板１の取出配線４は、外部に設けた制御回路に接続され、この制御回路により駆動及び入力位置検知が行われる。タッチパネル２０は、製品仕様に応じて設ける、コネクタ、保護ガラス板、樹脂塗膜等からなる保護層など、公知の部材を含み得る。
【０１０１】
このタッチパネル２０は、電極が視認されにくく、更に、電極による濃淡模様も視認されにくい。さらに検知電極２を低電気抵抗で形成できるため、特に大型のタッチパネル２０に適している。
【０１０２】
［画像表示装置］
図９に示された表示装置３０は、上記したタッチパネル２０を画像表示機構２５の表示面２５ａ側に配置してなる構成の画像表示装置である。図９に示すように、タッチパネル用電極基板１のアクティブエリアＡａ１は、画像表示機構２５の表示領域Ａ１に対面する領域を占めている。タッチパネル用電極基板１の非アクティブエリアＡａ２は、画像表示機構２５の非表示領域Ａ２に対面する領域に形成されている。
【０１０３】
また、静電容量型タッチパネル表示装置３０は、タッチパネル２０の一方の面に透明粘着層を設けて画像表示機構２５の表示画面２５ａに貼り付けることによって形成できるが、タッチパネル２０を表示画面２５ａ上に配置するだけでもよい。また、透明粘着層を全面に形成しても良いし、透明性のない粘着剤を、透明性の必要な部分を開口部として形成しても良い。なお、透明粘着層を設ける場合、画像表示機構２５の画面２５ａに静電容量型タッチパネル２０を貼り付けるまでは、剥離シートで被覆されているようにすることで埃などの異物の挟み込みの発生を抑えられる。
【０１０４】
また、静電容量型タッチパネル表示装置における端子電極の取り方についてはいろいろな方式が存在するが、公知のものは全て本願発明に適用可能である。また、検知電極の露出面を端子電極とすることもできる。
【０１０５】
画像表示装置３０は、画像表示機構２５と、この画像表示機構２５の出光面（画面）２５ａ上に配置された上述のタッチパネル２０と、を少なくとも含む構成の装置である。画像表示機構２５としては、液晶表示パネル、プラズマディスプレイパネル、ＥＬ（電界発光）パネル、電子ペーパーなどの各種ディスプレイパネルの他、ブラウン管でもよい。
【０１０６】
上述したタッチパネル２０を用いた画像表示装置３０は、電子黒板など数十インチ以上の大型の用途においても感度良くタッチ位置を検知可能となる。さらに、表示画面２５ａの点灯時、消灯時のいずれにおいても、タッチパネル用電極基板１の検知電極２の視認は極めて困難であり、更に検知電極２に由来する濃淡模様などは視認されない。したがって、画像表示機構２５によって形成される画像の画質を劣化させることを効果的に回避することができる。
【産業上の利用可能性】
【０１０７】
本発明によるタッチパネル用電極基板、タッチパネル及び表示装置の用途は、特に限定されない。ただし、特にモアレが生じ得る周期的パターンを有する物と組み合わせる用途が好適である。例えば、ディスプレイパネル、或いは網点で表現された白黒乃至はカラーの印刷物である。本発明の画像表示裝置は、テレビジョン受像裝置、電算機器、電話機、計測器、医療用機器、遊戯機器、事務用機器、現金自動支払機、電子黒板、電子書籍端末、電子看板、自販機等の、入力手段を表示部等に備えた画像表示装置に広く適用できる。
【符号の説明】
【０１０８】
１     タッチパネル用電極基板
２     検知電極
２ｓ   一方の面に形成された（表面）検知電極
２ｒ   他方の面に形成された（裏面）検知電極
３     透明絶縁基板
４     取出配線
４ｓ   一方の面に形成された（表面）取出配線
４ｒ   他方の面に形成された（裏面）取出配線
５ｓ   一方の面に形成された（表面）接続部
５ｒ   他方の面に形成された（裏面）接続部
６ｓ   一方の面に形成された（表面）配線部
６ｒ   他方の面に形成された（裏面）配線部
１０   従来のメッシュ状電極を有するタッチパネル用電極基板
１２   メッシュ状検知電極
１２ｓ 一方の面に形成された（表面）メッシュ状検知電極
１２ｒ 他方の面に形成された（裏面）メッシュ状検知電極
１３   透明絶縁基板
１４   従来技術に於ける導電体細線部
１４ｓ （表面）導電体細線部
１４ｒ （裏面）導電体細線部
１５   導電体細線部の交点
２０   タッチパネル
２５   画像表示機構
３０   表示装置
【図１】
0006451258.tif 000002
【図２】
0006451258.tif 000003
【図３】
0006451258.tif 000004
【図４】
0006451258.tif 000005
【図５】
0006451258.tif 000006
【図６】
0006451258.tif 000007
【図７】
0006451258.tif 000008
【図８】
0006451258.tif 000009
【図９】
0006451258.tif 000010
【図１０】
0006451258.tif 000011